(57)【要約】【課題】線状光源をレール部材に固定するクリップの位置を、レール部材の長手方向に沿って簡単に変更することができるライン照明装置を提供する。【解決手段】ライン照明装置は、長手方向に沿った係合溝を有するレール部材と、レール部材に沿って配設されたチューブ状の線状光源と、線状光源をレール部材に固定する弾性変形可能な複数のクリップと、を備え、クリップは、線状光源の外周を囲繞するクリップ本体と、クリップ本体の一端部及び他端部から延びる左右の係合片とを有し、左右の係合片を、相互の間隙を弾性変形によって所定間隙に狭めた状態で係合溝に係合して、線状光源をレール部材に固定し、クリップは、係合前の自然状態において、間隙を所定間隙よりも広く、かつ線状光源の最小寸法よりも狭く設定されるとともに、弾性変形により間隙を広げて、線状光源のクリップ本体への通過を許容する。【選択図】図２
2019083139.tif 000002
【特許請求の範囲】
【請求項１】
長手方向に沿った係合溝を有するレール部材と、
前記レール部材に沿って配設されたチューブ状の線状光源と、
前記線状光源を前記レール部材に固定する弾性変形可能な複数のクリップと、を備え、
前記クリップは、前記線状光源の外周を囲繞するクリップ本体と、前記クリップ本体の一端部及び他端部から延びる左右の係合片とを有し、前記左右の係合片を、相互の間隙を弾性変形によって所定間隙に狭めた状態で前記係合溝に係合して、前記線状光源を前記レール部材に固定し、
前記クリップは、係合前の自然状態において、前記間隙を前記所定間隙よりも広く、かつ前記線状光源の最小寸法よりも狭く設定されるとともに、弾性変形により前記間隙を広げて、前記線状光源の前記クリップ本体への通過を許容する、
ことを特徴とするライン照明装置。
【請求項２】
前記クリップは、前記左右の係合片が、前記係合溝にそれぞれ引っかかる外向きの左右の係合爪を有し、
前記係合爪を含む前記係合片の幅の２倍が、前記レール部材の係合溝の幅と同じ又はそれよりも僅かに小さい、
ことを特徴とする請求項１に記載のライン照明装置。
【請求項３】
前記線状光源は、長手方向に直交する断面形状が、上側及び下側に長辺を有する長方形状である、
ことを特徴とする請求項１又は２に記載のライン照明装置。
【請求項４】
前記線状光源は、上側に位置する長辺の両端に円弧部が形成されている、
ことを特徴とする請求項３に記載のライン照明装置。
【請求項５】
線状光源をレール部材に固定する弾性変形可能なクリップにおいて、
前記線状光源の外周を囲繞するクリップ本体と、前記クリップ本体の一端部及び他端部から延びる左右の係合片とを備え、前記左右の係合片を、相互の間隙を弾性変形によって所定間隙に狭めた状態で前記レール部材の係合溝に係合して、前記線状光源を前記レール部材に固定し、
係合前の自然状態において、前記間隙を前記所定間隙よりも広く、かつ前記線状光源の最小寸法よりも狭く設定されるとともに、弾性変形により前記間隙を広げて、前記線状光源の前記クリップ本体への通過を許容する、
ことを特徴とするクリップ。
【請求項６】
線状光源をレール部材に、弾性変形可能なクリップで取り付ける線状光源の取付け方法において、
前記クリップは、前記線状光源の外周を囲繞するクリップ本体と、前記クリップ本体の一端部及び他端部から延びる左右の係合片とを備え、
自然状態において、前記線状光源の最小寸法よりも狭い前記左右の係合片を前記線状光源の最小寸法よりも広げて前記線状光源を前記クリップ本体へ通し、
その後、前記左右の係合片を、相互の間隙を弾性変形によって所定間隙に狭めた状態で前記レール部材の係合溝に係合することにより、前記線状光源を前記レール部材に固定する、
ことを特徴とする線状光源の取付け方法。
【発明の詳細な説明】
【技術分野】
【０００１】
本発明は、線状光源をクリップによりレール部材に固定したライン照明装置、クリップ、及び線状光源の取付け方法に関する。
【背景技術】
【０００２】
従来、特許文献１に照明装置が提案されている。
このものの要約書には、解決する手段として、
【０００３】
「長物状に形成された基板に複数の発光素子を設けるとともにコネクタケーブル６を接続してなる光源ユニットと、前面に光を出射させるライン状の投光開口を有するとともに所定の剛性を有する長物状に形成され、光源ユニットを互いの長手方向を合せて一体に保持する筐体２とからなる照明装置本体１０と、照明装置本体１０を保持する照明装置取付治具９とを備えている。」
と記載されている。
照明装置本体１０は、例えば外構の階段、デッキ材の幕板などの所望の位置に照明装置取付治具９を用いて取り付ける。
【０００４】
すなわち、照明装置取付治具９は、外構の階段、デッキ材の幕板などの被取付部に固定部９ｃをビス止めすることによって取り付けられる。そして、照明装置本体１０は、照明装置取付治具９の相互に対向する、弾性変形可能な保持片９ａ，９ｂ間に挟み込むことによって、取り付けられている。
【先行技術文献】
【特許文献】
【０００５】
【特許文献１】特開２０１７−１２３２７０号公報
【発明の概要】
【発明が解決しようとする課題】
【０００６】
しかしながら、特許文献１に係る発明によると、照明装置取付治具９（本願発明のクリップに相当）は、あらかじめビス止めされていて、長手方向の位置が決まっているため、簡単に位置を変更することができないという問題があった。
【０００７】
本発明は、上述した事情に鑑みてなされたものであり、線状光源をレール部材に固定するクリップの位置を、レール部材の長手方向に沿って簡単に変更することができるライン照明装置、クリップ、及び線状光源の取付け方法を提供することを目的とする。
【課題を解決するための手段】
【０００８】
上述の目的を達成するために、本発明に係るライン照明装置は、長手方向に沿った係合溝を有するレール部材と、レール部材に沿って配設されたチューブ状の線状光源と、線状光源をレール部材に固定する弾性変形可能な複数のクリップと、を備え、クリップは、線状光源の外周を囲繞するクリップ本体と、クリップ本体の一端部及び他端部から延びる左右の係合片とを有し、左右の係合片を、相互の間隙を弾性変形によって所定間隙に狭めた状態で係合溝に係合して、線状光源をレール部材に固定し、クリップは、係合前の自然状態において、間隙を所定間隙よりも広く、かつ線状光源の最小寸法よりも狭く設定されるとともに、弾性変形により間隙を広げて、線状光源のクリップ本体への通過を許容する、ことを特徴とする。
【０００９】
また、本発明に係るクリップは、線状光源をレール部材に固定する弾性変形可能なクリップにおいて、線状光源の外周を囲繞するクリップ本体と、クリップ本体の一端部及び他端部から延びる左右の係合片とを備え、左右の係合片を、相互の間隙を弾性変形によって所定間隙に狭めた状態でレール部材の係合溝に係合して、線状光源をレール部材に固定し、係合前の自然状態において、間隙を所定間隙よりも広く、かつ線状光源の最小寸法よりも狭く設定されるとともに、弾性変形により間隙を広げて、線状光源のクリップ本体への通過を許容する、ことを特徴とする。
【００１０】
また、本発明に係る線状光源の取付け方法は、線状光源をレール部材に、弾性変形可能なクリップで取り付ける線状光源の取付け方法において、クリップは、線状光源の外周を囲繞するクリップ本体と、クリップ本体の一端部及び他端部から延びる左右の係合片とを備え、自然状態において、所定間隙よりも狭い左右の係合片を線状光源の最小寸法よりも広げて線状光源をクリップ本体へ通し、その後、左右の係合片を、相互の間隙を弾性変形によって所定間隙に狭めた状態でレール部材の係合溝に係合することにより、線状光源をレール部材に固定する、ことを特徴とする。
【発明の効果】
【００１１】
本発明によれば、ライン照明装置は、クリップが、線状光源の外周を囲繞するクリップ本体と、クリップ本体の一端部及び他端部から延びる左右の係合片とを有し、左右の係合片を、相互の間隙を弾性変形によって所定間隙に狭めた状態で係合溝に係合して、線状光源をレール部材に固定することができる。一方、クリップは、係合前の自然状態において、間隙を所定間隙よりも広く、かつ線状光源の最小寸法よりも狭く設定されるとともに、弾性変形により間隙を広げて、線状光源のクリップ本体への通過を許容するので、線状光源の長手方向の任意の位置に、長手方向に交差（直交）する方向から取り付けることができる。
【００１２】
すなわち、ライン照明装置は、クリップの左右の係合片の、係合溝に対する係合前には、左右の係合片を広げることにより、線状光源の長手方向の任意の位置に、線状光源に交差（直交）する方向からクリップ本体を取り付けることができ、その取り付け状態を維持しつつ係合片をレール部材の係合溝に係合させることにより、係合後には、線状光源をレール部材に固定することができる。
【００１３】
なお、ライン照明装置においては、一旦、線状光源に取り付けたクリップは、自然状態に戻り、間隙が線状光源の最小寸法よりも狭く設定されているので、線状光源から脱落するおそれはない。
【００１４】
また、本発明によれば、クリップは、線状光源の外周を囲繞するクリップ本体と、クリップ本体の一端部及び他端部から延びる左右の係合片とを備えていて、左右の係合片を、相互の間隙を弾性変形によって所定間隙に狭めた状態でレール部材の係合溝に係合して、線状光源をレール部材に固定することができる。また、クリップは、係合前の自然状態において、間隙を所定間隙よりも広く、かつ線状光源の最小寸法よりも狭く設定されるとともに、弾性変形により間隙を広げて、線状光源のクリップ本体への通過を許容することができる。
【００１５】
すなわち、クリップは、左右の係合片の、係合溝に対する係合前には、左右の係合片を広げることにより、線状光源の長手方向の任意の位置に線状光源に交差（直交）する方向からクリップ本体を取り付けることができ、その取り付け状態を維持しつつ係合片をレール部材の係合溝に係合させることにより、係合後には、線状光源をレール部材に固定することができる。
【００１６】
なお、クリップは、一旦、線状光源に取り付けられると、自然状態に戻り、間隙が線状光源の最小寸法よりも狭く設定されているので、線状光源から脱落するおそれはない。
【００１７】
また、本発明によれば、線状光源の取付け方法は、クリップが、線状光源の外周を囲繞するクリップ本体と、クリップ本体の一端部及び他端部から延びる左右の係合片とを備え、自然状態において、線状光源の最小寸法よりも狭い左右の係合片を線状光源の最小寸法よりも広げて線状光源をクリップ本体へ通すので、クリップを線状光源の長手方向の任意の位置に、長手方向に直交（交差）する方向から取り付けることができる。その後、クリップの左右の係合片を、相互の間隙を弾性変形によって所定間隙に狭めた状態で係合溝に係合することにより、線状光源をレール部材に固定することができる。
【００１８】
すなわち、線状光源の取付け方法は、自然状態のクリップの左右の係合片を一旦、広げてクリップ本体に線状光源を通し、その後、クリップは、自然状態に戻って、線状光源からの脱落を防止し、さらにその後、左右の係合片を狭めることにより、線状光源を保持しつつ、レール部材の係合溝に係合して、線状光源をレール部材に固定することができる。
【図面の簡単な説明】
【００１９】
【図１】ライン照明装置１の全体構成を示す斜視図である。
【図２】図１中のＡ−Ａ線断面図である。
【図３】図１中のＢ−Ｂ線断面図である。
【図４】レール部材１０を示す斜視図である。
【図５】線状光源２０を示す平面図及びＣ−Ｃ線断面図である。
【図６】係合状態のクリップ３０を示す斜視図である。
【図７】係合状態のクリップ３０を示す正面図である。
【図８】自然状態のクリップ３０を示す斜視図である。
【図９】自然状態のクリップ３０を示す正面図である。
【図１０】乳半カバー４０を取り付けたライン照明装置１を示す正面図である。
【発明を実施するための形態】
【００２０】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図１０を参照して本発明を適用した実施形態１に係るライン照明装置１について説明する。
【００２１】
このうち、図１は、ライン照明装置１の全体構成を示す斜視図である。また、図２は、図１中のＡ−Ａ線断面図である。また、図３は、図１中のＢ−Ｂ線断面図である。また、図４は、レール部材１０を示す斜視図である。
【００２２】
ここで、図１〜図４に矢印で示す前後上下左右の方向を、ライン照明装置１の前後上下左右の方向と決める。すなわち、レール部材１０及び線状光源２０の長手方向を前後方向、また、レール部材１０と線状光源２０とが重なる方向を上下方向、そして、前後方向及び上下方向に直交する方向を左右方向とする。なお、図５、図６、図８も同様である。
ライン照明装置１は、図１に示すように、レール部材１０、チューブ状の線状光源２０、及び複数のクリップ３０を備えて構成されている。
このうち、レール部材１０は、図１、図４に示すように、前後方向に長く形成されている。
【００２３】
レール部材１０は、図４に示すように、前後方向の所定距離ごとに、ねじ穴１１，１１…が形成されている。各ねじ穴１１は、レール部材１０の底部１２の左右方向の中心を、上下方向に貫通し、さらに、上部の左右のレール部１３，１３の一部を切り欠くように形成されている。これらねじ穴１１，１１…に、ねじ（不図示）を上方から通すことにより、レール部材１０を壁や天井（いずれも不図示）に取り付けることができる。
【００２４】
レール部材１０は、このねじ穴１１が形成された部分を除いて、前後方向の任意の位置における、前後方向に垂直な断面形状がすべて同じ断面形状、すなわち、図２、図３に示す形状に形成されている。レール部材１０は、断面形状において、底部１２、左右の側部１４，１４、及び左右のレール部１３，１３を有している。左右の側部１４，１４は、底部１２の左右両端から上方に向けて延び、左右のレール部１３，１３は、左右の側部１４，１４の上部に形成されている。左右のレール部１３，１３は、図３に示す線状光源２０や図２に示すクリップ３０に当接する左右の上面１３ａ，１３ａが平らになっている。また、左右のレール部１３，１３は、係合溝Ｇを介して対向している。係合溝Ｇは、前後方向に沿って、レール部材１０の全長にわたって形成されている。係合溝Ｇの幅は、Ｇｗに設定されている。左右の上面１３ａ，１３ａのぞれぞれの内側には、面取り１３ｂ，１３ｂが施されていて、係合溝Ｇに対するクリップ３０の左右の係合片３２，３２の嵌まり込みを容易にしている。さらに、左右のレール部１３，１３のそれぞれの外側には、外側ほど下方に傾斜した左右の係合部１３ｃ，１３ｃが形成されている。左右の係合部１３ｃ，１３ｃは、後述する図１０に示すように、乳半カバー４０を取り付けるためのものである。
【００２５】
なお、レール部材１０は、例えば、プラスチックによって構成されていて、図４では、前後方向に真直ぐ延びる直線状に配置した例を説明しているが、レール部材１０を取り付ける配設箇所に応じて、多少の湾曲には耐えるようになっている。
ここで、図５は、線状光源２０を示す平面図及びＣ−Ｃ線断面図である。
【００２６】
線状光源２０は、図１に示すように、レール部材１０に沿って配設されている。線状光源２０は、図５に示すように、複数の発光素子２１，２１…、フレキシブル基板２２、及びチューブ２３を有している。
発光素子２１，２１…は、例えば、ＣＯＢ（チップオンボード）タイプの光源を、所定距離だけ隔てて複数配置して構成される。
フレキシブル基板２２は、これら発光素子２１，２１…の間を電気的に接続するものである。
【００２７】
チューブ２３は、発光素子２１，２１…及びフレキシブル基板２２の上下左右を覆って、前後方向に長く形成されている。チューブ２３は、前後方向の任意の位置における、前後方向に直交する断面形状がいずれも同形に形成されている。チューブ２３のこの断面形状は、長方形の長辺ａを上側と下側とにおき、短辺ｂを左側と右側とにおいて、上側に位置する長辺ａの両側を、外に向かって凸状の円弧部２３ａ，２３ａとした、いわゆるかまぼこ型に形成されている。チューブ２３は、最小寸法がｂとなっている。チューブ２３は、透明な合成樹脂、例えば、シリコーンで形成されている。このため、多少の変形が可能である。また、内部の発光素子２１，２１…が透けて見え、線状光源２０全体として、ライン状の光源として使用される。
【００２８】
なお、上述では、線状光源２０の、前後方向に直交する断面形状が、かまぼこ型である場合を説明したが、これに代えて、長方形状や正方形状の四角形状、または、半円状などかまぼこ型以外の曲線を用いた形状であってもよい。線状光源２０がこれらの形状の場合、線状光源２０を囲繞するクリップ３０の形状は、これらの形状に倣った形状でもよく、また、これらの形状との間に多少の隙間を有するものであってもよい。
【００２９】
図６は、係合状態のクリップ３０を示す斜視図である。また、図７は、係合状態のクリップ３０を示す正面図である。また、図８は、自然状態のクリップ３０を示す斜視図である。また、図９は、自然状態のクリップ３０を示す正面図である。
【００３０】
クリップ３０は、レール部材１０の係合溝Ｇ（図３参照）に係合された状態（以下「係合状態」という。）では、図１、図２、図６、図７に示す状態となり、また、自然状態では、図８、図９に示す状態となる。すなわち、クリップ３０の係合状態とは、左右の係合片３２，３２を、相互の間隙を弾性変形によって所定間隙Ｈａに狭めた状態で係合溝Ｇに係合した状態をいい、また、自然状態とは、外力が作用しない自然の状態をいう。
【００３１】
クリップ３０は、線状光源２０の外周を囲繞する３１、及びクリップ本体３１の一端部３１ａ及び他端部３１ｂから延びる左右の係合片３２，３２を有している。
【００３２】
係合状態のクリップ３０は、図２に示すように、左右の係合片３２，３２が、レール部材１０側の係合溝Ｇに所定間隙Ｈａを介して係合している。左右の係合片３２，３２には、下端にそれぞれ外側を向いた係合爪３２ａ，３２ａが形成されている。これら係合爪３２ａ，３２ａは、係合状態において、レール部材１０側の左右のレール部１３，１３の右端及び左端の下方に引っかかっていて、係合後の係合片３２，３２が係合溝Ｇから外れないようにしている。この係合状態においては、クリップ３０の左右の下面３１ｃ，３１ｃが、左右のレール部１３，１３の左右の上面１３ａ，１３ａに当接している。係合状態においては、左のレール部１３の上面１３ａとクリップ本体３１の左の下面３１ｃとの左端、及び右のレール部１３の上面１３ａとクリップ本体３１の右の下面３１ｃの右端とが一致している。これにより、図１０に示す乳半カバー４０を取り付ける際に、段部が形成されないで、円滑に取り付けられる。
【００３３】
また、係合爪３２ａ，３２ａを含む係合片３２，３２の（左右の）幅Ｇａの２倍は、レール部材１０の係合溝Ｇの（左右の）幅Ｇｗと同じ又はそれよりも僅かに小さく形成されている。
【００３４】
なお、図３に示すように、クリップ３０がない部分では、左右のレール部１３，１３の上面１３ａ，１３ａは直接、線状光源２０のチューブ２３に当接している。
【００３５】
図２に示すように、係合状態のクリップ３０のクリップ本体３１は、線状光源２０の外周を囲繞している。すなわち、係合状態のクリップ３０は、クリップ本体３１の内周の形状が、線状光源２０の外周の形状にほぼ倣っている。クリップ３０は、全体の厚さがほぼ一定であるので、クリップ本体３１の外周は、線状光源２０の外周に対して、一回り大きい形状となっている。
つづいて、図８、図９を参照して、自然状態のクリップ３０について説明する。
【００３６】
自然状態のクリップ３０は、クリップ本体３１の、係合時には線状光源２０の左右の円弧部２３ａ，２３ａに対応する左右の円弧部３１ｄ，３１ｄをほぼ中心として、クリップ本体３１の下側を開いた状態にある。この状態では、左右の係合片３２，３２は、その間隙Ｈを間隙Ｈｗに開いた状態にある。この間隙Ｈｗは、図２、図７に示す所定間隙Ｈａよりも広く、かつ線状光源２０の最小寸法であるｂよりも狭く設定されている。
つまり、
Ｈａ＜Ｈｗ＜ｂ
に設定されている。
次に、線状光源２０の取付け方法について説明する。
【００３７】
本発明では、線状光源２０をレール部材１０に固定するためのクリップ３０を、前後方向に長いレール部材１０及び線状光源２０の端部から順に取り付ける必要はなく、レール部材１０及び線状光源２０の前後方向の任意の位置に取り付けられるようにしている。
【００３８】
線状光源２０を自然状態のクリップ本体３１に取り付けるために、一端、間隙Ｈを、間隙Ｈｗから最小寸法ｂよりも広い間隙Ｈｂ（図９参照）に広げることになる。
つまり、
ｂ＜Ｈｂ
【００３９】
とすることで、線状光源２０のクリップ本体３１への通過を許容する。これは、前後方向に長い線状光源２０の端部からクリップ３０を通していくのとは異なり、線状光源２０の前後方向の任意の位置に、線状光源２０とは直角（上下方向あるいは左右方向）に、クリップ３０を取り付けることになる。また、線状光源２０がクリップ本体３１に取りつけられた後は、Ｈｗ＜ｂとなるので、線状光源２０がクリップ本体３１から抜け落ちることはない。
【００４０】
こうして、クリップ本体３１に線状光源２０を通したクリップ３０を、今度は、左右の係合片３２，３２を狭めてくっ付けるようにして、係合溝Ｇに差し入れる。左右の係合爪３２ａ，３２ａが、左右のレール部１３，１３に引っかかる。
すなわち、係合爪３２ａを含む係合片３２の幅をＧａ（図２参照）とすると、
２×Ｇａ≦Ｇｗ
となる。
【００４１】
これにより、２個の係合片３２，３２を係合溝Ｇに入れて係合させることが可能であり、一旦、係合した後は、左右の係合爪３２ａ，３２ａが左右のレール部１３，１３に引っかかるため、左右の係合片３２，３２が係合溝Ｇから抜けにくくなる。
以上により、一端、係合溝Ｇに係合した左右の係合片３２，３２は、抜けにくく、レール部材１０に線状光源２０を確実に固定することができる。
図１０は、乳半カバー４０を取り付けたライン照明装置１を示す正面図である。
乳半カバー４０は、例えば、乳白色に形成されていて、線状光源２０の前後方向に沿って、線状光源２０全体を覆うように構成されている。
【００４２】
乳半カバー４０は、左右の下端のフック部４０ａ，４０ａ、これらから上方に延びる左右の側部４０ｂ，４０ｂ、及び左右の側部を結ぶ半円状のドーム部４０ｃを有している。乳半カバー４０は、フック部４０ａ，４０ａを、レール部材１０の左右の係合部１３ｃ，１３ｃに係合させて、側部４０ｂ，４０ｂ及びドーム部４０ｃが線状光源２０を覆った状態で取り付けられている。
なお、ドーム部４０ｃは、半円状に限らず、四角形状やＴ字形状であってもよい。
【００４３】
このように、乳半カバー４０を取り付けることにより、ライン照明装置１を人目に付く場所に設けることができる。また、発光素子２１の１つ１つから出射された光が乳半カバー４０で拡散されるため、ライン照明装置１から出射される光は、ドットレスとなり均斉度が高くなる。
以下、本発明に係るライン照明装置１、クリップ３０、及び線状光源の取付け方法の作用、効果をまとめる。
【００４４】
・本発明によれば、ライン照明装置１は、クリップ３０が、線状光源２０の外周を囲繞するクリップ本体３１と、クリップ本体３１の一端部３１ａ及び他端部３１ｂから延びる左右の係合片３２，３２とを有し、左右の係合片３２，３２を、相互の間隙Ｈを弾性変形によって所定間隙Ｈａに狭めた状態で係合溝Ｇに係合して、線状光源２０をレール部材１０に固定することができる。一方、クリップ３０は、係合前の自然状態において、間隙Ｈを所定間隙Ｈａよりも広く、かつ線状光源２０の最小寸法ｂよりも狭く設定されるとともに、弾性変形により間隙Ｈを広げて、線状光源２０のクリップ本体３１への通過を許容するので、線状光源２０の長手方向（前後方向）の任意の位置に、長手方向に交差（直交）する方向から取り付けることができる。
【００４５】
すなわち、ライン照明装置１は、クリップ３０の左右の係合片３２，３２の、係合溝Ｇに対する係合前には、左右の係合片３２，３２を広げることにより、線状光源２０の長手方向の任意の位置に、線状光源２０に交差（直交）する方向からクリップ本体３１を取り付けることができ、その取付け状態を維持しつつ係合片３２，３２をレール部材１０の係合溝Ｇに係合させることにより、係合後には、線状光源２０をレール部材１０に固定することができる。
【００４６】
なお、ライン照明装置１においては、一旦、線状光源２０に取り付けたクリップ３０は、自然状態に戻り、間隙Ｈが線状光源２０の最小寸法ｂよりも狭く設定されているので、線状光源２０から脱落するおそれはない。
【００４７】
・ライン照明装置１は、クリップ３０の左右の係合片３２，３２が、係合溝Ｇにそれぞれ引っかかる外向きの左右の係合爪３２ａ，３２ａを有し、係合爪３２ａ，３２ａを含む係合片３２，３２の幅Ｇａの２倍が、レール部材１０の係合溝Ｇの幅Ｇｗと同じ又はそれよりも僅かに小さいので、係合片３２，３２は、一端、係合溝Ｇに係合すると、簡単には引き抜くことはできない。つまり、容易に係合解除することができない。
【００４８】
・ライン照明装置１は、線状光源２０の前後方向（長手方向）に直交する断面形状を、上側及び下側に長辺を有する長方形状とした場合には、レール部材１０に倣って配設される線状光源２０をレール部材１０上で安定されることができる。
【００４９】
・ライン照明装置１は、線状光源２０が、長方形状で、さらに、上側に位置する長辺の両端に円弧部２３ａ，２３ａを有する場合は、線状光源２０の外周を囲繞するクリップ３０を、この円弧部２３ａ，２３ａに対応する円弧部３１ｄ，３１ｄをほぼ中心に弾性変形させることができ、例えば、長方形状の９０度の角部を中心に弾性変形する場合と比較して、滑らかに弾性変形させることができる。
【００５０】
・次に、クリップ３０は、線状光源２０の外周を囲繞するクリップ本体３１と、クリップ本体の一端部３１ａ及び他端部３１ｂから延びる左右の係合片３２，３２とを備えていて、左右の係合片３２，３２を、相互の間隙Ｈを弾性変形によって所定間隙Ｈａに狭めた状態でレール部材１０の係合溝Ｇに係合して、線状光源２０をレール部材１０に固定することができる。また、クリップ３０は、係合前の自然状態において、間隙Ｈを所定間隙Ｈａよりも広く、かつ線状光源２０の最小寸法ｂよりも狭く設定されるとともに、弾性変形により間隙Ｈを広げて、線状光源２０のクリップ本体３１への通過を許容することができる。
【００５１】
すなわち、クリップは、左右の係合片３２，３２の、係合溝Ｇに対する係合前には、左右の係合片３２，３２を広げることにより、線状光源２０の長手方向の任意の位置に線状光源２０に交差（直交）する方向からクリップ本体３１を取り付けることができ、その取付け状態を維持しつつ係合片３２，３２をレール部材１０の係合溝Ｇに係合させることにより、係合後には、線状光源２０をレール部材１０に固定することができる。
【００５２】
なお、クリップ３０は、一旦、線状光源２０に取り付けられると、自然状態に戻り、間隙Ｈが線状光源２０の最小寸法ｂよりも狭く設定されているので、線状光源２０から脱落するおそれはない。
【００５３】
・次に、線状光源の取付け方法は、クリップ３０が、線状光源２０の外周を囲繞するクリップ本体３１と、クリップ本体３１の一端部３１ａ及び他端部３１ｂから延びる左右の係合片３２，３２とを備え、自然状態において、線状光源の最小寸法ｂよりも狭い左右の係合片３２，３２を線状光源２０の最小寸法ｂよりも広げて線状光源２０をクリップ本体３１へ通すので、クリップ３０を線状光源２０の長手方向の任意の位置に、長手方向に直交（交差）する方向から取り付けることができる。その後、クリップの左右の係合片３２，３２を、相互の間隙Ｈを弾性変形によって所定間隙Ｈａに狭めた状態で係合溝に係合することにより、線状光源２０をレール部材１０に固定することができる。
【００５４】
すなわち、線状光源２０の取付け方法は、自然状態のクリップの左右の係合片３２，３２を一旦、広げてクリップ本体３１に線状光源２０を通し、その後、クリップ３０は、自然状態に戻って、線状光源２０からの脱落を防止し、さらにその後、左右の係合片３２，３２を狭めることにより、線状光源２０を保持しつつ、レール部材１０の係合溝Ｇに係合して、線状光源２０をレール部材１０に固定することができる。
【符号の説明】
【００５５】
１      ライン照明装置
１０    レール部材
２０    線状光源
２３ａ，２３ａ    円弧部
３０    クリップ
３１    クリップ本体
３１ａ  一端部
３１ｂ  他端部
３２，３２    左右の係合片
３２ａ，３２ａ    左右の係合爪
ａ      長辺
ｂ      短辺（最小寸法）
Ｇ      係合溝
Ｇａ    係合片の幅
Ｇｗ    係合溝の幅
Ｈ      間隙
Ｈａ    所定間隙
Ｈｂ    自然状態から広げた間隙
Ｈｗ    自然状態の間隙
【図１】
2019083139.tif 000003
【図２】
2019083139.tif 000004
【図３】
2019083139.tif 000005
【図４】
2019083139.tif 000006
【図５】
2019083139.tif 000007
【図６】
2019083139.tif 000008
【図７】
2019083139.tif 000009
【図８】
2019083139.tif 000010
【図９】
2019083139.tif 000011
【図１０】
2019083139.tif 000012